(57)【特許請求の範囲】
【請求項１】
一端に水が流入する水入口を有し、他端に湯又は水蒸気が流出する湯出口を有する金属管からなり、前記水入口から前記湯出口に向って上向きに設置された加熱管と、
一端に湯又は水蒸気が流入する湯入口を有し、他端に湯又は水蒸気が流出する湯出口を有する管からなり、前記湯入口から前記湯出口に向って下向きに設置されるとともに、前記湯入口が前記加熱管の湯出口に接続された送湯管と、
前記加熱管の水入口に逆止弁を介して接続された水ポンプと、
前記加熱管の湯出口に接続され、装填された飲料原料に湯を接触させてフィルタを通して飲料を抽出する飲料抽出器と、
前記加熱管に通電する加熱電源と、
この加熱電源から供給する電力及び前記水ポンプから供給する水の流量を制御する手段とを備え、
前記水ポンプにより給水しながら前記加熱管に通電し、この通電による前記加熱管の発熱により前記水を加熱して湯を沸かし、この湯を前記送湯管に一時蓄えるとともに、前記水ポンプからの給水量が定量に達したら給水を停止して前記加熱管内の水を沸騰させ、生じた蒸気圧で前記送湯管内の湯を前記抽出器に押し込み、前記飲料原料から定量の飲料を抽出して前記抽出口から送り出した後、前記加熱管への通電を停止することを特徴とする飲料抽出装置。
【請求項２】
前記加熱管の湯出口の真上に湯溜りを設けたことを特徴とする請求項１記載の飲料抽出装置。
【請求項３】
前記加熱管が負圧になったときに、この加熱管を大気に連通させる負圧防止弁を前記湯出口の付近に設けたことを特徴とする請求項１記載の飲料抽出装置。
【請求項４】
前記加熱管の湯出口と前記送湯管の湯入口との間に、湯又は蒸気を取り出すための切換弁を設けたことを特徴とする請求項１記載の飲料抽出装置。
【請求項５】
前記加熱管の断面形状を縦長の偏平にしたことを特徴とする請求項１記載の飲料抽出装置。
【請求項６】
前記送湯管の断面形状を横長の偏平にしたことを特徴とする請求項１記載の飲料抽出装置。
【請求項７】
給水、湯沸し及び沸騰からなる一連の工程を複数回繰り返して定量の飲料を抽出することを特徴とする請求項１記載の飲料抽出装置。
【請求項８】
給水の初期に流量を絞って水蒸気を発生させ、この水蒸気で管内を予熱することを特徴とする請求項１記載の飲料抽出装置。
【請求項９】
飲料抽出終了後に過熱蒸気を飲料抽出器に通して原料かすを乾燥させることを特徴とする請求項１記載の飲料抽出装置。
【発明の詳細な説明】
【０００１】
【発明の属する技術分野】
この発明は、コーヒー粉や茶葉などの飲料原料に湯を通して飲料を加圧抽出する装置に関し、特にエスプレッソのように数気圧以上の高圧で飲料を抽出するのに適した装置に関する。
【０００２】
【従来の技術】
この種の飲料抽出装置として、予め湯を沸かして貯蔵しておき、この湯を飲料抽出時に空気圧あるいはピストンで加圧して飲料原料に通し、飲料を抽出するものが知られており、コーヒー自動販売機などに用いられている。
【０００３】
【発明が解決しようとする課題】
ところが、このような従来の飲料抽出装置は、湯が貯湯タンクから配管系統や加圧室などを通して飲料原料に到達するまでに冷めることが避けられず、風味のよい熱い飲料を抽出することが困難であった。また、空気圧やピストンによる湯の加圧では、高い抽出圧力を得るには無理があり、従って湯を通す原料粉の粒度をあまり細かくできないため、微細な粉末原料を用いたエスプレッソなどの飲料の抽出には必ずしも適していなかった。
【０００４】
そこで、この発明の課題は、高温高圧の湯を用いて高品質の飲料を容易に抽出できるようにすることにある。
【０００５】
【課題を解決するための手段】
金属管からなる加熱管に水を通しながら通電し、この通電により発熱した加熱管で加熱して沸かした湯を飲料抽出器に送り込んで飲料を抽出するものである。すなわち、この発明の飲料抽出装置は、一端に水が流入する水入口を有し、他端に湯又は水蒸気が流出する湯出口を有する金属管からなる加熱管と、前記水入口に接続された水ポンプと、前記加熱管の湯出口に接続され、収容した飲料原料に湯を接触させてフィルタを通して飲料を抽出する飲料抽出器と、前記加熱管に通電する加熱電源と、この加熱電源から供給する電力及び前記水ポンプから供給する水の流量を制御する手段とを備え、前記水ポンプにより給水しながら前記加熱管に通電し、この通電による前記加熱管の発熱により前記水を加熱して湯を沸かし、この湯を前記水ポンプの吐出圧で前記抽出器に押し込み、前記飲料原料から定量の飲料を抽出して前記抽出口から送り出した後、前記給水及び通電を停止するものである。
【０００６】
この飲料抽出装置によれば、加熱管で沸かした湯を直に飲料抽出器に供給するので、湯が冷めることがない。また、加熱管は内径数ｍｍの金属管で構成できるので高圧に耐え、例えば８気圧（ゲージ圧、以下、同じ。）以上の高圧を飲料抽出器に容易に加えることができる。更に、水ポンプの流量と加熱管に供給する電力を適切に制御することにより、湯温を自在にコントロールすることができ、必要により１００℃以上の過熱蒸気を飲料抽出器に送り込むこともできる。
【０００７】
この飲料抽出装置は水ポンプの吐出圧で飲料抽出圧力を発生させるものであるが、飲料抽出圧力は蒸気圧から得ることも可能である。そのようなこの発明の飲料抽出装置は、一端に水が流入する水入口を有し、他端に湯又は水蒸気が流出する湯出口を有する金属管からなり、前記水入口から前記湯出口に向って上向きに設置された加熱管と、一端に湯又は水蒸気が流入する湯入口を有し、他端に湯又は水蒸気が流出する湯出口を有する管からなり、前記湯入口から前記湯出口に向って下向きに設置されるとともに、前記湯入口が前記加熱管の湯出口に接続された送湯管と、前記加熱管の水入口に逆止弁を介して接続された水ポンプと、前記加熱管の湯出口に接続され、装填された飲料原料に湯を接触させてフィルタを通して飲料を抽出する飲料抽出器と、前記加熱管に通電する加熱電源と、この加熱電源から供給する電力及び前記水ポンプから供給する水の流量を制御する手段とを備え、前記水ポンプにより水を供給しながら前記加熱管に通電し、この通電による前記加熱管の発熱により前記水を加熱して湯を沸かし、この湯を前記送湯管に一時蓄えるとともに、前記水ポンプからの給水が定量に達したら給水を停止して前記加熱管内の水を沸騰させ、生じた蒸気圧で前記送湯管内の湯を前記抽出器に押し込み、前記飲料原料から定量の飲料を抽出して前記抽出口から送り出した後、前記通電を停止するものとする（請求項１）。
【０００８】
この請求項１の飲料抽出装置によれば、金属管内の水を沸騰させた水蒸気で湯を飲料抽出器に押し込むので、水ポンプとして高価な高圧ポンプを用いる必要がない。水ポンプ側への水の逆流は、逆止弁により阻止される。
【０００９】
請求項１において、前記加熱管の湯出口には、湯溜りを設けるのがよい（請求項２）。給水の沸騰による水蒸気圧の発生において、加熱管に水があれば水蒸気圧と水蒸気温度との間には正確な相関があり、例えば、水蒸気圧０気圧（大気圧）で水蒸気温度１００℃以下、同じく９気圧で約１８０℃、同じく１５気圧で約２００℃となる。しかし、加熱管から水がなくなると、その部分は蒸発熱が奪われなくなるので管壁の温度が異常上昇する一方、水蒸気圧は特に変化せず上記した相間が得られなくなる。そのため、加熱管の湯出口の真上の通電されない部分に少量の湯、例えば１ｍｌ程度の湯を溜める湯溜りを設け、この湯溜りからの重力滴下により加熱管内に常に水を補給するようにするのがよい。
【００１０】
また、請求項１において、前記加熱管が負圧になったときに、この加熱管を大
気に連通させる負圧防止弁を前記湯出口の付近に設けるのがよい（請求項３）。飲料抽出が終了し、加熱管への電力供給を停止すると、加熱管内に残存している水蒸気は水に戻り管内に負圧を生じる。この負圧により、原料かすやカプチーノの泡立ちミルクなどを加熱管に吸引すると衛生上の問題を生じ、また目詰まりなどの故障の原因となる。そのため、負圧が生じると大気圧との差圧により自動的に開く負圧防止弁を設け、負圧発生時に大気圧を導入して負圧を解消するのがよい。
【００１１】
請求項１において、前記加熱管の湯出口と前記送湯管の湯入口との間に、湯又は蒸気を取り出すための切換弁を設けることができる（請求項４）。湯あるいは蒸気を単独で取り出したい場合、送湯管を経由すると冷めてしまうという問題がある。そこで、請求項４により切換弁を設ければ、この切換弁を切り換えて湯あるいは水蒸気を直に取り出し、例えば水蒸気はエスプレッソに用いる泡立ちミルクの製造に役立てることができる。
【００１２】
前記加熱管の断面形状は縦長の偏平にするのがよい（請求項５）。水蒸気発生時には、水蒸気は湯を加熱管内に残して先に出て行く必要がある。その際、加熱管の断面形状を縦長にしておくと、この断面の上部を気泡が上昇し、下部を湯が流下して、水蒸気の加熱管の通過と湯分の加熱管内への残留とが円滑に行なわれる。
【００１３】
これに対して、前記送湯管の断面形状は横長の偏平にするのがよい（請求項６）。送湯管は、加熱管で作られた湯を抽出開始前に一時蓄えておく役目をする。加熱管から出た熱湯の先端がすぐに飲料抽出器に入り、飲料原料の粉末を濡らすと、空気の逃げ場が塞がれて高圧を出せない水ポンプでは水を送り込めなくなる。そこで、加熱管から出た湯を一時送湯管に滞留させる。その場合、加熱管からの熱湯は送湯管を一気に下るのではなく、先にある空気を押し出しながら飲料抽出器の手前に達するようにするのがよい。そのためには、送湯管の断面形状を横長の偏平にして断面積を絞り、湯が管断面を満たすようにするとよい。
【００１４】
一方、請求項１において、定量（１杯分）の飲料を一時に抽出するのではなく給水、湯沸し及び沸騰からなる一連の工程を複数回繰り返して必要量の飲料を抽出することも可能である（請求項７）。これにより、１回当たりの抽出量が極僅かになるので、送湯管を小型化することが可能になる。
【００１５】
更に、請求項１において、抽出待機中に送湯管が冷めることによる飲料抽出温度の低下を防ぐには、給水の初期に流量を絞って水蒸気を発生させ、この水蒸気で管内を予熱するようにするのがよい（請求項８）。
【００１６】
飲料を抽出して生じた原料かすは、飲料抽出終了後に過熱蒸気を飲料抽出器に通して乾燥させることができ、これにより原料かすの廃棄が容易になる（請求項９）。
【００１７】
【発明の実施の形態】
以下、図１〜図５に基づいて、例えばエスプレッソを調製する飲料抽出装置に
おけるこの発明の実施の形態を説明する。まず、図１は実施の形態を示すシステム構成図である。図１において、飲料抽出装置は、一端に水が流入する水入口１ａを有し、他端に湯又は水蒸気が流出する湯出口１ｂを有する金属管からなる加熱管１と、水入口１ａに接続された水ポンプ２と、加熱管１の湯出口１ｂに接続された飲料抽出器３と、加熱管１に通電する加熱電源４と、加熱電源４から供給する電力及び水ポンプ２から供給する水の流量を制御する制御部５とを備えている。加熱管１は、内径数ｍｍのステンレス管が円筒コイル状に巻かれ、１０気圧程度の圧力に十分耐え得る構成となっている。また、加熱管１は巻回前に断面横長の偏平に押し潰され、内部を通過する水との接触面積の増大が図られている。
【００１８】
水ポンプ２には、８〜１０気圧程度の吐出圧力を生じる高圧ポンプ、例えば歯車ポンプが用いられ、水ポンプ２は水タンク６に貯留された水道水を加熱管１に圧送する。飲料抽出器３は、加熱管１に結合された蓋体３ａと、これに着脱可能に連結される本体３ｂとからなり、１０気圧の内圧に耐え得る耐圧容器として構成されている。抽出器本体３ｂの底部にはフィルタ７が装着され、その下方に抽出口８が設けられている。抽出器本体３ｂには、フィルタ７上にコーヒー微粉末からなるエスプレッソ原料が１杯分装填される。
【００１９】
加熱電源４は、高周波インバータ９と変成器１０とからなり、変成器１０の２次側端子から低電圧、大電流（例えば５ｖ，５００Ａ）の電力が加熱管１に供給される。ここで、加熱管１は水入口側から湯出口側に向って区間長さが順次大きくなる複数の通電区間に分けられ、各通電区間は隣接する通電区間の電流の向きが互いに逆になるようにして、加熱電源４の２次側端子に互いに並列に接続されている。これにより、水温の低い水が送入される水入口１ａに近い通電区間ほど、加熱管１に供給される電力の電力密度が高くなるように設定されている。制御部５はマイクロプロセッサからなり、予め定められたプログラムに従って、水ポンプ２の流量Ｑ及び加熱管１への投入電力Ｐを制御する。
【００２０】
図１の飲料抽出装置において、例えば５０ｍｌのエスプレッソを約１９秒で抽出するとすると、水ポンプ２の流量は２．５ｍｌ／ｓとなる。そこで、この流量で水ポンプ２を運転しながら、１ｋＷの電力を加熱管１に投入すると、常温（約２０℃）の水は約１００℃に加熱される。加熱管１には加熱待機中に５〜１０ｍｌ程度の常温の水が残留しているので、加熱管１の湯出口からは８０℃程度の湯が飲料抽出器３に水ポンプ２の吐出圧で押し込まれる。この湯はエスプレッソ原料と接触してそのエキスを抽出し、エスプレッソ飲料となって抽出口８からカップ１１に注入される。そのときの飲料温度は約７０℃になる。
【００２１】
５０ｍｌの給水が終了したら、水ポンプ２の流量を極端に、例えば０．３ｍｌ／ｓ程度に絞り、引き続き同じ電力を数秒間投入する。これにより、加熱管１の湯出口温度は１８０℃程度まで上昇し、１００℃を超える過熱蒸気が噴出する。この水蒸気は飲料原料を通過して、飲料抽出器３内に残留している、例えば１０ｍｌ程度の抽出飲料を無駄なく押し出し、更に原料かすを乾燥させる。その後、水ポンプ２及び加熱電源を停止する。飲料抽出後は、飲料抽出器本体３ｂを取り外し、原料かすを廃棄する。なお、エスプレッソの上に載せる泡立ちミルクは、加熱管１から蒸気のみを取り出して作ることができる。
【００２２】
図２は、請求項１に係る実施の形態を示す飲料抽出装置のシステム構成図である。第１の実施の形態と対応する部分には同一の符号を用いてある。図２において、飲料抽出装置は、一端に水が流入する水入口１ａを有し、他端に湯又は水蒸気が流出する湯出口１ｂを有する金属管からなり、水入口１ａから湯出口１ｂに向って上向き（図示の場合は垂直上向き）に設置された加熱管１と、一端に湯又は水蒸気が流入する湯入口１２ａを有し、他端に湯又は水蒸気が流出する湯出口１２ｂを有する管からなり、湯入口１２ａから湯出口１２ｂに向って下向き（図示の場合は垂直下向き）に設置されるとともに、湯入口１２ａが加熱管１の湯出口１ｂに接続された送湯管１２と、加熱管１の水入口１ａに逆止弁１３を介して接続された水ポンプ２と、送湯管１２の湯出口１３ｂに接続された飲料抽出器３と、加熱管１に通電する加熱電源４と、この加熱電源４から供給する電力及び水ポンプ２から供給する水の流量を制御する制御部５とを備えている。
【００２３】
ここで、加熱管１の湯出口１ｂの真上には、直立した円弧状の曲管からなる湯溜り１４が加熱管１の延長として一体に設けられ、その上端と送湯管１２の湯入口１２ａとは、三方弁からなる切換弁１５を介して中継管１６により接続されている。切換弁１５には、湯又は蒸気を単独で取り出すための湯出し管１７が取り付けられている。加熱管１の湯出口１ｂの付近、いまの場合は湯溜り１４の上端付近には、中継管１６から直立するように、負圧防止弁１８が接続されている。負圧防止弁１８は一種の逆止弁で、加熱管１が負圧になると開き、加熱管１を大気に連通させる。水ポンプ２はこの場合も歯車ポンプが使われているが、後述するように飲料抽出器３への湯の押し込みは、この実施の形態では蒸気圧で行なうので、水ポンプ２の吐出圧は１気圧以下の低圧でよい。飲料抽出器３、加熱電源４、水タンク６は第１の実施の形態と実質的に同じである。
【００２４】
加熱管１は内径５〜７ｍｍのステンレス管が円筒コイル状に巻かれて、１０気圧以上の圧力に耐え得るように構成され、図２に断面を拡大して示すように、断面形状が縦長の偏平（例えば内径で長径６〜８ｍｍ，短径３〜４ｍｍ）に形成されている。送湯管１２は、加熱管１よりもやや小径の内径４〜６ｍｍのステンレス管が円筒コイル状に巻かれて、１０気圧以上の圧力に耐え得るように構成され、図２に示すように断面形状が横長の偏平（例えば内径で長径５〜７ｍｍ，短径２〜３ｍｍ）に形成されている。湯溜り１４は加熱管１の延長として、縦長断面の直立した円弧状に設けられている。１９、２０及び２１は温度センサで、それぞれ加熱管１の入口温度Ｔ１、同出口温度Ｔ２及び送湯管１２の出口温度Ｔ３を測定するものである。また、２２は圧力センサで、加熱管１の入口圧力を測定するものである。
【００２５】
図２の飲料抽出装置の動作を図３〜図６のタイムチャートに基づいて説明すると、以下の通りである。まず図３は、通常の飲料抽出動作を示すものである。図３において、時点ｔ１〜ｔ２は始動直後の予熱動作で、極わずかの流量、例えば０．３ｍｌ／ｓで最大電力約１ｋＷを投入すると、数秒で加熱管１の出口温度Ｔ２は１００℃を超えて、水蒸気を送湯管１２や飲料抽出器３に送り出す。時点ｔ２〜ｔ３の十数秒は湯沸し動作で、約３ｍｌ／ｓの流量で１ｋＷの電力を供給すると、約２０℃の水が９０〜１００℃となり、約１７秒で５０ｍｌの熱湯が得られる。この熱湯は大部分が送湯管１２に送られて蓄えられ、残りは加熱管１及び湯溜り１４内に滞留する。湯沸し時間は水タンク６の水を予熱しておくことにより短縮することができ、例えば６０℃程度に予熱しておけば約９秒で５０ｍｌの熱湯が得られる。
【００２６】
時点ｔ３で給水を中止して、加圧抽出動作に入る。１ｋＷの電力は供給しているので、加熱管１内の湯は直ちに沸騰を開始し、送湯管１２の熱湯は水蒸気圧で飲料抽出器３に押し込まれて抽出を開始する。次いで供給電力を絞り、加熱管１内の湯の蒸発を維持しながら抽出を続ける。そのとき、加熱管１の出口温度Ｔ２は約１８０℃、蒸気圧は約１０気圧になっている。この蒸発中、加熱管１の内部では、図２に示すように、加熱管１の縦長断面の底部に溜まった湯２３が順次蒸発し、その上部空間を蒸気２４が上に向って移動する。この蒸気と一緒に持ち上げられた水滴は湯溜り１４で分離され、その内壁を伝わって加熱管１内に滴下回収される。
【００２７】
金属管１の水入口１ａ付近は電力密度が高いので、管壁の異常過熱が生じやすい。また、水ポンプ２の故障で給水されないか、流量予定よりが少なければ異常過熱される。そこで、もし入口温度Ｔ１が異常に、例えば１００℃あるいはそれ以上に上昇したら、制御部５は供給電力を絞るか遮断する。また、金属管１内の水が完全に蒸発すると空焚き状態となり、管壁が異常過熱される。そこで、もし出口温度Ｔ２が異常に、例えば２５０℃あるいはそれ以上に上昇したら、その場合も制御部５は電力を絞るか遮断する。更に、制御部５は圧力センサ２２により加熱管１の入口圧力ｐを監視し、圧力ｐが異常に、例えば１５気圧あるいはそれ以上に上昇したら、電力を絞るか遮断する。
【００２８】
加熱管１で発生する水蒸気の温度（圧力）を供給電力で制御しながら抽出を続け、送湯管１２内の熱湯の後尾、つまり加圧蒸気との境界が送湯管１２の湯出口１２ｂに達すると、温度Ｔ３が１００℃を超えるので、制御部５はこれにより抽出完了を検知し、時点ｔ４で加熱電力を遮断する。熱湯が飲料抽出器３を通過すると抽出口８から水蒸気が噴出し、加熱管１内は大気圧に戻る。加熱管１内が大気圧に戻ると、加熱管１にはまだ湯が残っているので１００℃以上の部分は直ちに１００℃まで冷却され、続いて常温に向けて冷却される。一方、送湯管１２には湯は残っていないので、約１８０℃から徐々に常温に向けて冷却される。このとき、水蒸気が覆水すると、水蒸気のあった部分が負圧になる。すると、負圧防止弁１８が開き、加熱管１内を大気に連通させる。これにより負圧が解消され、原料かすや泡立ちミルクが加熱管１内に吸引されて、管内を汚したり目詰まりを起こしたりすることが防止される。
【００２９】
次に、図４は上記した飲料抽出後の洗浄動作を示すものである。図４において、時点ｔ１１から、時点ｔ２におけると同様に給水湯沸し動作を数秒行ない、次いで時点ｔ１２で加圧抽出動作を数秒行うことで、熱湯を蒸気圧で空の飲料抽出器３に激しく吹き付け、飲料抽出器３の消毒洗浄を行なう。
【００３０】
次に、図５は水蒸気又は湯を単独で取り出す動作を示すものである。切換弁１５を切り換えて加熱管１と湯出し管１７を連通させ、所要の流量、例えば０．５ｍｌ／ｓで給水し、同時にこの流量に見合う電力を加熱管１に投入する。この流量と電力の制御を適切に行なうことにより、数秒で１００℃の乾き蒸気あるいは湿り蒸気を自由に取り出すことができる。また、流量あるいは電力を変えれば、任意の温度の湯を取り出すことができる。水蒸気はミルクの泡立てなどに使用される。
【００３１】
最後に、図６は湯沸しと加圧抽出とを小刻みに交互に繰り返す飲料抽出動作を示すものである。すなわち、時点ｔ３１で給水・湯沸かしを開始し、数秒後の時点ｔ３２で抽出を開始する。以後、これを繰り返し（図示は３回）、時点ｔ３７で抽出を完了する。このような抽出動作には、次のような利点がある。
１）回当たりの抽出量が少なくなるので、送湯管１２や湯溜り１４の容積を小さくすることができる。
２）送湯管１２の熱容量が小さくなるので、予熱動作を省略することが可能になる。
３）送湯管１２の熱容量が小さくなれば、蒸気を抽出口８から直接取り出すようにして、切換弁１５を省略することが可能になる。
４）飲料原料が複数回１００℃又はそれ以上の水蒸気に曝されるので、より風味のある飲料の抽出が可能になる。
５）複数回の抽出動作を行なうので、最初に原料粉末が水に濡れて目詰まりを起こしても、以後の動作で正常な抽出が期待できる。
また、図６に示すように、各抽出動作の終期に水蒸気を抽出口８から吐き出して管内が大気圧に戻った時、電力の供給を開始する前に、直ちに給水を開始することで、負圧防止弁１８の操作を省略することができ、また確実に給水を引き込むことができる。その結果、微妙な制御操作に気を配ることなく、効率よく短時間で風味の良い飲料を抽出することが可能になる。
【００３２】
上記した実施の形態において、制御部５は予め定められたプログラムにより、開ループで加熱管１の電力を制御する例を説明したが、加熱管１内の水の温度及び必要に応じて蒸気圧の検出値に基づいて閉ループ制御を行なうことももちろん可能である。また、この発明は、エスプレッソの調製のみならず、レギュラーコーヒーや茶、漢方薬など、熱湯により原料からエキスを加圧抽出する各種の用途に適用可能である。
【００３３】
【発明の効果】
以上の通り、この発明によれば、水ポンプにより加熱管に水を供給しながら通電して湯を沸かし、この湯を水ポンプの吐出圧により、あるいは水蒸気の圧力により飲料抽出器に押し込み、高温高圧の湯で飲料を加圧抽出することにより、高圧を要するエスプレッソなどの飲料抽出においても風味の良い高品質の飲料が得られる。
【図面の簡単な説明】
【図１】  第１の実施の形態を示す飲料抽出装置のシステム構成図である。
【図２】  この発明の第２の実施の形態を示す飲料抽出装置のシステム構成図である。
【図３】  図１の装置の飲料抽出動作を示すタイムチャートである。
【図４】  図１の装置の飲料抽出器洗浄動作を示すタイムチャートである。
【図５】  図１の装置の湯又は水蒸気単独の取り出し動作を示すタイムチャートである。
【図６】  図１の装置の湯沸しと加圧抽出の繰り返しによる飲料抽出動作を示すタイムチャートである。
【符号の説明】
１    加熱管
１ａ  水入口
１ｂ  水出口
２    水ポンプ
３    飲料抽出器
４    加熱電源
５    制御部
６    水タンク
７    フィルタ
８    飲料抽出口
１２    送湯管
１２ａ  湯入口
１２ｂ  湯出口
１３    逆止弁
１４    湯溜り
１５    切換弁
１６    中継管
１７    湯出し管
１８    負圧防止弁
１９    温度センサ
２０    温度センサ
２１    温度センサ
２２    圧力センサ
【図１】
0004797291.tif 000002
【図２】
0004797291.tif 000003
【図３】
0004797291.tif 000004
【図４】
0004797291.tif 000005
【図５】
0004797291.tif 000006
【図６】
0004797291.tif 000007